(57)【要約】【課題】  腰掛けの前面に凭れて入浴するとき、快適な入浴感を得られ、足を腰掛けの側に向けて全身浴するとき、安定した姿勢で快適に入浴できるようにする。【解決手段】  半身浴用の腰掛け１を深底部２から立ち上げて一体成形している腰掛け付き浴槽であって、上記の腰掛け１の前端部１ａを、腰掛け１から深底部２の側にわたる浴槽の長手方向と直交状に平面視で略直線状に形成する。この前端部１ａを介して腰掛け１の座面１ｃから深底部２に至る腰掛け１の前面１ｂを、背凭れとして機能する平面に形成する。この腰掛け１の前面１ｂの両側を、上下方向にわたって凹ませて足の配置部３に形成する。【選択図】      図１
2008212182.tif 000002
【特許請求の範囲】
【請求項１】
半身浴用の腰掛けが深底部から立ち上げられて一体成形されている腰掛け付き浴槽であって、上記の腰掛けの前端部が、腰掛けから深底部の側にわたる浴槽の長手方向と直交状に平面視で略直線状に形成され、この前端部を介して腰掛けの座面から深底部に至る腰掛けの前面が背凭れとして機能する平面に形成され、この腰掛けの前面の両側が、上下方向にわたって凹まれて足の配置部に形成されていることを特徴とする腰掛け付き浴槽。
【請求項２】
請求項１記載の腰掛け付き浴槽であって、腰掛けの前端部が隆起され、腰掛けの前面が、この前面に連なる腰掛けの座面より高く形成されていることを特徴とする腰掛け付き浴槽。
【請求項３】
請求項１又は２記載の腰掛け付き浴槽であって、腰掛けの背凭れ面の上端部が隆起され、腰掛けの背凭れ面が、この背凭れ面に連なるフランジの上面より高く形成されていることを特徴とする腰掛け付き浴槽。
【請求項４】
請求項１乃至３の何れかに記載の腰掛け付き浴槽であって、足の配置部の前方に、凸段差状のステップ部が側面から内方にせり出されて形成されていることを特徴とする腰掛け付き浴槽。
【発明の詳細な説明】
【技術分野】
【０００１】
本発明は浴槽に関し、更に詳しくは入浴者が半身浴に使用する腰掛けを備えた腰掛け付き浴槽に関するものである。
【背景技術】
【０００２】
従来この種の浴槽としては、例えば本出願人の特許文献１に記載の浴槽がある。この従来品は、半身浴用の腰掛けの座面が、深底部の側に徐々にせり上がる凹湾曲面状に形成され、臀部をホールドして半身浴時に身体が深底部の側に滑ることを防止することを特徴としている。
【０００３】
ところでこの種の浴槽では、入浴者が深底部に座って背中を腰掛けの前面にあてがって入浴することがある。この場合、従来のこの種の浴槽は、腰掛けの前面が、深底部の側に凸湾曲に形成されたり、或いは逆に、特許文献１に見られるように、凹湾曲に形成されるなど、通常、腰掛けの前面は湾曲面に形成されていた。
従って従来品の場合は、腰掛けの前面が入浴者の背当たり感に影響を与え易かったから、従来品によると腰掛けの前面を利用して全身浴するとき、快適に入浴できない場合が多かった。
また従来、深底部に座って足を腰掛け側に向けて全身浴するとき、入浴者は足を腰掛けの座面に載せたり、腰掛けの前端部に足裏をあてがって入浴することが多かった。従って従来品によると、身体が浮き上がり易くなり、入浴姿勢が不安定になり易い、という問題点があった。
【特許文献１】特開２００１−２５８７７７号公報
【発明の開示】
【発明が解決しようとする課題】
【０００４】
本発明は、このような従来の実情に鑑み、提案されたものである。
従って本発明の解決しようとする技術的課題は、腰掛けの前面に凭れて入浴するとき、快適な入浴感を得られ、足を腰掛けの側に向けて全身浴するとき、安定した姿勢で快適に入浴できるよう形成した腰掛け付き浴槽を提供することにある。
【課題を解決するための手段】
【０００５】
本発明は、上記の課題を解決するため、次のような技術的手段を採る。
即ち本発明は、図１等に示されるように、半身浴用の腰掛け１が深底部２から立ち上げられて一体成形されている腰掛け付き浴槽であって、上記の腰掛け１の前端部１ａが、腰掛け１から深底部２の側にわたる浴槽の長手方向と直交状に平面視で略直線状に形成され、この前端部１ａを介して腰掛け１の座面１ｃから深底部２に至る腰掛け１の前面１ｂが背凭れとして機能する平面に形成され、この腰掛け１の前面１ｂの両側が、上下方向にわたって凹まれて足の配置部３に形成されていることを特徴とする（請求項１）。
【０００６】
ここで、略直線状とは、完全な直線状には限られず、僅かに凹湾曲線状に形成されている場合も含む、ということを意味する。この場合も、直線状に形成される場合と同等の背当たり感を得られるからである。本発明の場合、腰掛け１の前面１ｂは、具体的には前方に傾斜する傾斜面や、垂直面に形成されることで実現される。足の配置部３は、通常、平面視で凹湾曲状に形成され、両側とも、同じ幅、同じ深さに形成されるが、本発明はこれに限定されるものではない。
【０００７】
而して本発明は、腰掛け１の前端部１ａが隆起され、腰掛け１の前面１ｂが、この前面１ｂに連なる腰掛け１の座面１ｃより高く形成されているのが好ましい（請求項２）。
なぜならこれによると、背中を高い位置まで係止でき、背凭れ感が良くなるからである。またこれによると、腰掛け１の前端部１ａによって臀部等の滑りを防止できるからである。
【０００８】
また本発明は、腰掛け１の背凭れ面１ｄの上端部１ｅが隆起され、腰掛け１の背凭れ面１ｄが、この背凭れ面１ｄに連なるフランジ６の上面より高く形成されているのが好ましい（請求項３）。
なぜならこれによると、半身浴時に背中を高い位置まで係止でき、背凭れ感の向上に役立つからである。
【０００９】
更に本発明は、足の配置部３の前方に、凸段差状のステップ部４が側面５から内方にせり出されて形成されているのが好ましい（請求項４）。
なぜならこれによると、ステップ部４を利用して浴槽への出入を容易化でき、また深底部２に座って足を腰掛け１の側に向けて全身浴するとき、ステップ部４の内側面に臀部や太股の外側をあてがって安定した姿勢で入浴することができるからである。
【発明の効果】
【００１０】
本発明は、このように腰掛けの前端部が略直線状に形成され、腰掛けの前面が背凭れ用の平面に形成されている。
従ってこれによれば、腰掛けの前面に凭れて入浴するとき、入浴者の体形等の影響を受けることを低減でき、その分、快適な入浴感を得られる。
また本発明は、腰掛け側に、半身浴用の背凭れ面と、全身浴用の腰掛け前面との、２種類の背凭れを備えて形成されている。
従ってこれによれば、半身浴と、腰掛けの前面を利用した全身浴との２種類の入浴形態を、身体を反転させることなく、簡単且つ楽にとることができる。
また本発明は、腰掛けの前面の両側が、上下方向にわたって凹まれて足の配置部に形成されている。
従ってこれによると、足を腰掛けの側に向けて全身浴するとき、足の配置部に足先をあてがって安定した姿勢で快適に且つ安全に入浴できる。
【発明を実施するための最良の形態】
【００１１】
以下、本発明を実施するための最良の形態を説明する。
本発明の浴槽は、図１等に示されるように、半身浴用の腰掛け１が深底部２から立ち上げられて一体成形されている。腰掛け１の前端部１ａは、腰掛け１から深底部２の側にわたる浴槽の長手方向と直交状に平面視で、この実施形態では直線状に形成されている。また腰掛け１の前端部１ａは隆起され、腰掛け１の前面１ｂが、この前面１ｂに連なる腰掛け１の座面１ｃより高く形成されている。
【００１２】
また腰掛け１の座面１ｃから前端部１ａを介して深底部２に至る腰掛け１の前面１ｂは、背凭れとして機能する平面に形成されている。この腰掛け１の前面１ｂは、この実施形態では略垂直の平面に形成されている。
【００１３】
また腰掛け１の前面１ｂの両側は、上下方向にわたって凹まれて足の配置部３に形成されている。この足の配置部３は、この実施形態では凹湾曲状に形成され、両側とも、同じ幅、同じ湾曲率に形成されている。
【００１４】
４は、凸段差状のステップ部である。このステップ部４は、足の配置部３の前方に、側面５から深底部２の側にせり出されて一体成形されている。またステップ部４の上面には、浴槽への出入時に足を滑らすことがないよう、深底部２の側の上端縁に沿って突条４ａが形成されている。
【００１５】
また腰掛け１の背凭れ面１ｄの上端部１ｅは、隆起され、腰掛け１の背凭れ面１ｄが、この背凭れ面１ｄに連なるフランジ６の上面より高く形成されている。
７は、腰掛け１の周りに形成されている排水溝である。この排水溝７の流路端は、足の配置部３の上端に連なり、腰掛け１の座面１ｃや腰掛け１周りの壁面を伝わり落ちる水を、足の配置部３を介して深底部２に流すよう形成されている。なお８は、取っ手である。また９はアームレストであり、１０は排水栓である。
【００１６】
次に本発明の使用例を、図２等に従って説明する。
入浴者１１は、図２に示されるように、深底部２に座って腰掛け１の前面１ｂに背中をあて、この前面１ｂを背凭れとして使用し、全身浴する。また腰掛け１に座って半身浴する場合は、図６に示されるように、身体の向きを変えることなく、後側に身体を移動して行なう。従って本発明によると、腰掛け１に座る半身浴と、深底部２に座って腰掛け１の前面１ｂを背凭れとして入浴する全身浴とを、身体の向きを変えることなく、身体を前後方向に移動するだけで簡単且つ楽に行なうことができる。
【００１７】
また本発明は、図７に示されるように、入浴者１１が、深底部２に座って足を腰掛け１の側に向けて全身浴するときは、足先を足の配置部３にあて、足を突っ張って安定した姿勢で入浴できる。またこの実施形態では、ステップ部４の上面に突条４ａが設けられているため、入浴者１１は、浴槽に出入りするとき、この突条４ａによって足を滑らすことがない。
【図面の簡単な説明】
【００１８】
【図１】本発明の浴槽の好適な一実施形態を示す平面図である。
【図２】同上浴槽の使用状態を説明するための縦断面図である。
【図３】同上浴槽の斜視図である。
【図４】同上浴槽の要部縦断面図である。
【図５】同上浴槽の要部斜視図である。
【図６】同上浴槽の使用状態を説明するための縦断面図である。
【図７】同上浴槽の使用状態を説明するための平面図である。
【符号の説明】
【００１９】
１      腰掛け
１ａ    前端部
１ｂ    前面
１ｃ    座面
１ｄ    背凭れ面
１ｅ    上端部
２      深底部
３      足の配置部
４      ステップ部
４ａ    突条
５      側面
６      フランジ
７      排水溝
８      取っ手
９      アームレスト
１０    排水栓
１１    入浴者
【図１】
2008212182.tif 000003
【図２】
2008212182.tif 000004
【図３】
2008212182.tif 000005
【図４】
2008212182.tif 000006
【図５】
2008212182.tif 000007
【図６】
2008212182.tif 000008
【図７】
2008212182.tif 000009